(57)【要約】【課題】スポーツをする際に用いられるヘッドホンにおいて、とくに激しい運動の際におけるスピーカユニットの耳の穴からの脱落が回避できるとともに、発汗による不快感や音質の低下、あるいはまた汗のヘッドホンのスピーカ部への浸入を防止するようにしたヘッドホンを提供する。    【解決手段】ヘッドバンド１５の両端に調整自在に取付けられているハンガ１７に、貫通孔３１を有する調整板３０を取付けるようにし、この調整板３０の貫通孔３１の偏心量によって、調整板３０の回転角に応じてハンガ１７と側頭部との間の距離を調整し、これによってスピーカユニット２０の耳の穴に対する挿入深さを調整する。【選択図】図４
2008148259.tif 000002
【特許請求の範囲】
【請求項１】
ほぼＵ字状をなして頭部に装着されるヘッドバンドの左右両端にそれぞれ調整自在にハンガを設け、前記左右のハンガにそれぞれ左右のスピーカユニットを取付けるようにしたヘッドホンにおいて、
前記スピーカユニットの振動板を前記ヘッドバンドおよびハンガを含む平面に対してほぼ平行に配するとともに、装着した聴取者の顔面側に配置し、
しかも前記ハンガに前記スピーカユニットが耳に入る挿入量を調整する調整手段を設けたことを特徴とするヘッドホン。
【請求項２】
前記調整手段が前記ハンガの前記スピーカの近傍に取付けられたスペーサ部材であって、該スペーサ部材が耳の近傍で側頭部に当接して前記スピーカユニットが耳に入る挿入量を調整することを特徴とする請求項１に記載のヘッドホン。
【請求項３】
前記スペーサ部材が円板状をなし、しかも中心に対して偏心した位置に貫通孔を備え、前記貫通孔に前記ハンガが挿通され、前記ハンガに対して前記スペーサ部材を回転させることにより前記スピーカユニットが耳に入る挿入量が可変に調整されることを特徴とする請求項１に記載のヘッドホン。
【請求項４】
前記スペーサ部材が弾性体から構成されることを特徴とする請求項３に記載のヘッドホン。
【請求項５】
前記スペーサ部材がシリコンゴムから成ることを特徴とする請求項３に記載のヘッドホン。
【請求項６】
前記スペーサ部材の貫通孔の内周面がギザギザになっており、所定の回転位置で仮保持されることを特徴とする請求項３に記載のヘッドホン。
【請求項７】
前記スペーサ部材の貫通孔が多角形になっており、所定の回転位置で仮保持されることを特徴とする請求項３に記載のヘッドホン。
【請求項８】
ほぼＵ字状をなして頭部に装着されるヘッドバンドの左右両端にそれぞれ調整自在にハンガを設け、前記左右のハンガにそれぞれ左右のスピーカユニットを取付けるようにしたヘッドホンにおいて、
前記スピーカユニットの振動板を前記ヘッドバンドおよびハンガを含む平面に対してほぼ平行に配するとともに、装着した聴取者の顔面側に配置し、
しかも前記ハンガに前記ハンガと側頭部との間の間隙を調整する調整手段を設けたことを特徴とするヘッドホン。
【請求項９】
前記調整手段が、前記ハンガに摺動可能に取付けられた一対の摺動子と、該摺動子間でくの字状に屈曲する屈曲部とから成り、前記一対の摺動子間の距離を調整することにより前記屈曲部の側方への突出量を調整するようにしたことを特徴とする請求項８に記載のヘッドホン。
【請求項１０】
前記調整手段による調整が、前記ハンガの前記ヘッドバンドに対する調整とは独立に行なわれることを特徴とする請求項９に記載のヘッドホン。
【請求項１１】
前記スピーカユニットが前記ハンガの下端に屈曲して斜め上方を向いて取付けられていることを特徴とする請求項１または請求項８に記載のヘッドホン。
【発明の詳細な説明】
【技術分野】
【０００１】
本発明はヘッドホンに係り、とくにほぼＵ字状をなして頭部に装着されるヘッドバンドの左右両端にそれぞれ調整自在にハンガを設け、左右のハンガにそれぞれ左右のスピーカユニットを取付けるようにしたヘッドホンに関する。
【背景技術】
【０００２】
ドライブユニットを収納したハウジングを耳介に挿入するようにした図１０に示すヘッドホンが従来より広く用いられている。このヘッドホンは、ほぼ円錐台形をしたハウジング１を備え、このハウジング１内にドライブユニット２が収納される。そしてこのドライブユニット２の前方に振動板３が配されるとともに、振動板３を覆うようにプロテクタ４が取付けられている。プロテクタ４には振動板からの音を通過させる多数の放音孔が設けられている。そしてハウジング２の下端にはコード保持部５が連設され、このコード保持部５からコード６が引出される。
【０００３】
このようなヘッドホンは、図１１に示すように、耳介Ａに挿入されて装着される。一般に人の耳介Ａに共通な形状として側面に外耳道Ｂの入口が位置するほぼ円錐台状の窪み、いわゆる耳甲介腔Ｃがあり、この耳甲介腔Ｃの下側にはいわゆる耳珠Ｄと対珠Ｅとが耳甲介腔Ｃ上に両側からはみ出しており、これらの耳珠Ｄと対珠Ｅとの間にほぼＵ字形状の隙間から成るいわゆる珠間切痕Ｆが存在する。ヘッドホンのハウジング１は耳甲介腔Ｃ内に位置し、耳珠Ｄと対珠Ｅとに押さえられ、コード保持部５が珠間切痕Ｆに配される。
【０００４】
このようなヘッドホンは、人の耳介Ａに共通な形状に着目して耳介Ａに挿入し装着しているが、耳介Ａは人により大きさに差があり、人によって大きすぎたり小さすぎたりして、耳に痛みを感じたり、装着できない不都合があった。
【０００５】
また外耳道Ｂは耳甲介腔Ｃに対して斜め前方に位置しているので、耳甲介腔Ｃ内に位置するヘッドホンをその振動板３が外耳道Ｂに対して斜めになる。一方、外耳道Ｂおよびこの外耳道Ｂの入口周辺の形状は人により異なる。このために、振動板３が外耳道Ｂに対して斜めに装着されるヘッドホンにおいては、振動板３から放射された音がこの外耳道Ｂやこの外耳道Ｂの入口周辺で反射されて鼓膜に伝わることになる。従って、人によって異なる形状をした外耳道Ｂや、この外耳道Ｂの入口周辺で反射した音は、人により異なった音質になってしまう不具合がある。
【０００６】
またこのようなヘッドホンは、携帯用音響機器に接続して用いることにより、歩行したり運動したりする際に携帯用音響機器によって音楽等を楽しむことができる。ところがポータブル型のＣＤプレーヤに接続されるヘッドホンは、上述の如く耳の穴の中へ収納することで脱落を防止するために、耳の穴周囲と皮膚面との距離を調整することが困難である。このために、とくにスポーツ時において発汗すると、上方からの汗がヘッドホンのハウジング１の部分に直接接触することになる。またスポーツ時に何等かの下方からの引張り力が作用すると、ヘッドホンが耳から脱落する問題がある。
【０００７】
一方、実開昭５８−１８９６９１号公報には、頭部への装着時にドライバ部が耳介から離間して配置される完全開放形ヘッドホンにおいて、ドライバ部を保持してなるヘッドバンドの末端内側に、装着者の側頭部押圧用のサイドパッドを設け、かつヘッドバンドもしくはサイドパッドに、耳介と結合してヘッドバンドの頭部からのずり落ちを防止するイヤーフックを設けた完全開放形ヘッドホンが開示されている。
【０００８】
このようなヘッドホンは、ヘッドバンドによって頭部に装着するために、下方への力が働いてもドライバ部が耳の部分から下方に落下することがない。ところがこのようなヘッドホンは、サイドパッドによって耳との間の距離が増大し、耳に対する密着性に欠けるために、ドライバ部がふらつくことになる。とくに激しい運動時においては、ドライバ部によって良好な再生音を聴くことができない問題がある。
【０００９】
そこで特公平６−５９１２０号公報には、馬蹄形のヘッドバンドの両端側に設けた支持体によりハウジングを固定し、上記ハウジング内のスピーカユニットの振動板を、ヘッドバンドおよび支持体を含む面に略平行で、しかも装着した聴視者の顔面側に配置したヘッドホンが開示されている。
【００１０】
このようなヘッドホンは、スピーカ部の振動板を前方に向けた状態でそのほぼ半分が耳の穴の中に挿入されるとともに、顔面側に向けて音を放出するようになっており、しかもヘッドバンドによってスピーカユニットの重量を受けるために、下方への力が加わってもスピーカユニットが耳から脱落することがない。本願発明は、上記のようなヘッドホンにさらに改良を加え、耳の穴に対するスピーカ部の挿入量を調整できるようにしたものである。
【特許文献１】実開昭５８−１８９６９１号公報
【特許文献２】特公平６−５９１２０号公報
【発明の開示】
【発明が解決しようとする課題】
【００１１】
本願発明の課題は、携帯用の音響機器に接続して用いるのに好適なヘッドホンを提供することである。
【００１２】
本願発明の別の課題は、汗をかいても、スピーカユニットに汗が伝わり難いようにしたヘッドホンを提供することである。
【００１３】
本願発明のさらに別の課題は、歩行時あるいはスポーツ時等に、何等かの下方からの引張り力を受けても、スピーカユニットが耳から脱落し難いようにしたヘッドホンを提供することである。
【００１４】
本願発明のさらに別の課題は、スピーカユニットの耳に対する挿入深さが調整可能なヘッドホンを提供することである。
【００１５】
本願発明のさらに別の課題は、セミオープン型であって、長時間使用しても疲れないようにしたヘッドホンを提供することである。
【００１６】
本願の上記の課題および別の課題は、以下に述べる本願発明の技術的思想およびその実施の形態によって明らかにされる。
【課題を解決するための手段】
【００１７】
本願の主要な発明は、ほぼＵ字状をなして頭部に装着されるヘッドバンドの左右両端にそれぞれ調整自在にハンガを設け、前記左右のハンガにそれぞれ左右のスピーカユニットを取付けるようにしたヘッドホンにおいて、
前記スピーカユニットの振動板を前記ヘッドバンドおよびハンガを含む平面に対してほぼ平行に配するとともに、装着した聴取者の顔面側に配置し、
しかも前記ハンガに前記スピーカユニットが耳に入る挿入量を調整する調整手段を設けたことを特徴とするヘッドホンに関するものである。
【００１８】
ここで、前記調整手段が前記ハンガの前記スピーカの近傍に取付けられたスペーサ部材であって、該スペーサ部材が耳の近傍で側頭部に当接して前記スピーカユニットが耳に入る挿入量を調整するようにしてよい。また前記スペーサ部材が円板状をなし、しかも中心に対して偏心した位置に貫通孔を備え、前記貫通孔に前記ハンガが挿通され、前記ハンガに対して前記スペーサ部材を回転させることにより前記スピーカユニットが耳に入る挿入量が可変に調整されてよい。また前記スペーサ部材が弾性体から構成されてよい。また前記スペーサ部材がシリコンゴムから成ることが好適である。また前記スペーサ部材の貫通孔の内周面がギザギザになっており、所定の回転位置で仮保持されてよい。また前記スペーサ部材の貫通孔が多角形になっており、所定の回転位置で仮保持されてよい。
【００１９】
本願の別の主要な発明は、ほぼＵ字状をなして頭部に装着されるヘッドバンドの左右両端にそれぞれ調整自在にハンガを設け、前記左右のハンガにそれぞれ左右のスピーカユニットを取付けるようにしたヘッドホンにおいて、
前記スピーカユニットの振動板を前記ヘッドバンドおよびハンガを含む平面に対してほぼ平行に配するとともに、装着した聴取者の顔面側に配置し、
しかも前記ハンガに前記ハンガと側頭部との間の間隙を調整する調整手段を設けたことを特徴とするヘッドホンに関するものである。
【００２０】
ここで、前記調整手段が、前記ハンガに摺動可能に取付けられた一対の摺動子と、該摺動子間でくの字状に屈曲する屈曲部とから成り、前記一対の摺動子間の距離を調整することにより前記屈曲部の側方への突出量を調整するようにしてよい。また前記調整手段による調整が、前記ハンガの前記ヘッドバンドに対する調整とは独立に行なわれてよい。また前記スピーカユニットが前記ハンガの下端に屈曲して斜め上方を向いて取付けられてよい。
【００２１】
本願発明の好ましい態様は、ポータブルＣＤプレーヤ等の携帯用音響機器に使用するヘッドホンに関するものである。一般に携帯用音響機器は、音楽データを一旦バッファメモリに書込み、データの読出し時における外乱等における音飛びの心配を排除するようにした構成が採用される。このような傾向は、同時に音響機器の小型軽量化を実現させており、音飛び無しと併用すると、スポーツ時に使用して音楽を楽しむユーザを増加させることになる。
【００２２】
ところが、スポーツ時にヘッドホンを使用する際に、発汗による不快感や音質低下を伴い、さらには汗がヘッドホンの小型スピーカユニット部に浸入することによって、再生音の継続聴取を困難にする可能性がある。またスピーカユニットが耳の穴内部に入込まない形態のヘッドホンを使用すれば、上記発汗による障害を回避することも可能であるが、ヘッドホン装置自体が大型化するとともに、皮膚との接触面積が増えるために、快適とは言い難く、とくにスポーツ時の使用には不適当なものである。
【００２３】
本願発明の好ましい態様は、ヘッドホンのスピーカユニットと人体の側頭部の皮膚との間に適当な距離を確保するための調整手段を設けることによって、とくにスポーツ使用時における発汗による密着や、水分浸入の不具合を回避し、快適な使用感と長時間の聴取継続を可能にしたものである。
【００２４】
このような態様は、調整手段を追加するだけであって、構造が単純で、低コストの実現が可能になる。また既存のヘッドホンをそのまま現物資産として流用可能である。さらにヘッドホン自体に対する新規の開発投資が必要でない。また本態様を採用した場合の優位性をユーザが理解し易く、スポーツ時に音楽を楽しむための欲求による購買意欲が活性化することになる。また成熟した技術分野において、単純構造での快適性の実現によって、市場を活性化させることができる。また発汗による水分の浸入を防ぐ構造から、ヘッドホン自体の本来の基本寿命が維持されることになる。
【発明の効果】
【００２５】
本願の主要な発明は、ほぼＵ字状をなして頭部に装着されるヘッドバンドの左右両端にそれぞれ調整自在にハンガを設け、左右のハンガにそれぞれ左右のスピーカユニットを取付けるようにしたヘッドホンにおいて、スピーカユニットの振動板をヘッドバンドおよびハンガを含む平面に対してほぼ平行に配するとともに、装着した聴取者の顔面側に配置し、しかもハンガにスピーカユニットが耳に入る挿入量を調整する調整手段を設けたものである。
【００２６】
従ってこのようなヘッドホンによると、スピーカユニットがヘッドバンドによって吊下げられた状態で聴視者の耳の部分に、そのスピーカユニットの振動板が顔面側に向いて装着され、しかもスピーカユニットの耳に入る挿入量が調整手段によって調整されることになる。
【００２７】
本願の別の主要な発明は、ほぼＵ字状をなして頭部に装着されるヘッドバンドの左右両端にそれぞれ調整自在にハンガを設け、左右のハンガにそれぞれ左右のスピーカユニットを取付けるようにしたヘッドホンにおいて、スピーカユニットの振動板をヘッドバンドおよびハンガを含む平面に対してほぼ平行に配するとともに、装着した聴取者の顔面側に配置し、しかもハンガにハンガと側頭部との間の間隙を調整する調整手段を設けたものである。
【００２８】
従ってこのようなヘッドホンによると、ハンガと側頭部との間の間隔が調整手段によって任意に調整されることになり、このような調整によって、スピーカユニットの耳に入る挿入量が任意に調整されることになる。
【発明を実施するための最良の形態】
【００２９】
以下本願発明を図示の実施の形態によって説明する。図１および図２は本実施の形態のヘッドホンの全体の構成を示すものであって、このヘッドホンは頭部に装着されるほぼＵ字状をなすヘッドバンド１５を備えている。なおヘッドバンド１５は、例えば合成樹脂成形体によって成形される。そしてヘッドバンド１５の両端には下方に延びるように細条部１６が一体に連設される。そして細条部１６がハンガ１７の摺動溝１８内に挿入されるようになっており、これによってヘッドバンド１５に、細条部１６を介してハンガ１７が取付けられることになる。しかも細条部１６のハンガ１７の摺動溝１８に対する摺動量によって、ハンガ１７の高さが任意に調整されることになる。
【００３０】
上記ハンガ１７の下端側の部分には、スピーカユニット２０が設けられている。すなわちスピーカユニット２０は、そのハウジングがハンガ１７の下端側の部分に一体に形成されている。そしてスピーカユニット２０の上部において、ハンガ１７には小孔から成る引出し部２１が形成され、この引出し部２１からコード２２が引出される。左右のスピーカユニット２０から引出されたコード２２は、結束部材２３によって結束されるとともに、その下側の部分が引揃えられ、先端側にプラグ２４が接続されるようになっている。
【００３１】
上記スピーカユニット２０は、その前面側の部分がプロテクタ２７によって覆われている。プロテクタ２７は小孔から成る放音孔を備え、前方に対して音を放出するようになっている。そしてプロテクタ２７の内側には、ほぼ円形をなす振動板２８が設けられ、この振動板２８がドライブユニットによって振動するようになっている。なお振動板２８は、上記ヘッドバンド１５およびハンガ１７を含む平面に対してほぼ平行に配されるようになっており、しかも聴視者の顔面側に向いて配置されるようになっている。従ってこのヘッドホンを装着した場合には、耳の穴の部分にスピーカユニット２０が前面側を向いた状態で挿入されることになる（図５参照）。
【００３２】
本実施の形態の上述のようなヘッドホンは、ヘッドバンド１５によって頭部に装着するようになっており、スピーカユニット２０が耳の穴に入込む形状になっており、耳の穴の出口を塞ぐことなく装着可能であって、圧迫感のない使用感が期待でき、いわゆるオープンエアー型あるいはセミオープンエアー型のヘッドホンとして利用することができる。そしてこのようなヘッドホンは、とくにヘッドバンド１５によって支持するようにしているために、下方からの引張り力を受けてもスピーカユニット２０が耳から脱落することがない。このようなヘッドホンは、そのハンガ１７と側頭部の皮膚面との間の距離を調整しないと、上方からの汗等の水分の浸入時に、時間の経過とともに耳の穴に挿入されるスピーカユニット２０の部分に汗が流込んで使用感が悪化し、さらには音質の低下を発生させる可能性がある。そこで本実施の形態のヘッドホンにおいては、ハンガ１７と側頭部との間の距離を調整できるようにし、あるいはまたスピーカユニット２０の耳の穴に対する挿入深さを調整できるようにしている。
【００３３】
すなわちこのヘッドホンは、とくにハンガ１７と側頭部との間の間隔を調整可能にするために、調整板３０をハンガ１７の部分であってスピーカユニット２０の近傍に設けるようにしている。調整板３０は図３Ａに示すように、例えばシリコンゴムの円板から成るとともに、その中心に対して偏心した位置に貫通孔３１を備え、このような貫通孔３１によって上記ハンガ１７の所定の高さの部分にハンガ１７を上記貫通孔３１を挿通させるようにして取付けられるようになっている。ここで最初からハンガ１７に貫通して取付けられる場合には、貫通孔３１のみを形成すればよいが、組立てた後にハンガ１７に取付ける場合には、貫通孔３１と連通する切込み３２を図３Ｂのように形成し、この切込み３２の部分を上記ハンガ１７を挿通させて貫通孔３１内に導くことによって取付けが行なわれるようになっている。
【００３４】
すなわち調整板３０は、所定の厚みを有するとともに、円板状の外形をなし、しかも貫通孔３１が中心に対して偏心して配される。ここで材料は、適度な硬度を有する柔軟性のあるものが好ましく、例えばシリコンゴム等の弾性体が用いられる。
【００３５】
なお図３Ｃに示すように、貫通孔３１の内周面を平滑な円周面にするのに代えて、ギザギザの凹凸３４を形成してもよい。あるいはまた調整板３０の貫通孔３１に代えて、図３Ｄに示すように、多角形の、例えば６角形の穴３５を形成するようにしてもよい。ギザギザの凹凸３４を設けた場合や６角形の穴３５を設けた場合にも、後から取付ける場合等には、必要に応じて切込み３２を設けるようにしてよい。
【００３６】
調整板３０は上述の如く、その貫通孔３１の中心がこの調整板３０の中心と一致せず、偏心した位置に配されている（図３Ａ〜Ｄ参照）。従って貫通孔３１の外周と調整板３０の外周との間の距離をｄ３（図４Ａ参照）とｄ４（図４Ｂ参照）との間で距離を徐変することができる。
【００３７】
図４Ａに示すように調整板３０の側頭部側の距離を最短のｄ３とした場合には、装着した状態が図５Ａに示すようになる。従ってこの場合には、スピーカユニット２０は耳の穴に対して最も深い挿入姿勢をとる。これに対して側頭部側の調整板３０の外周と貫通孔３１の内周面との距離を最長のｄ４とした場合には、図５に示すように側頭部と調整板３０との間の距離をｄ４に調整することができる。この場合には、スピーカユニット２０の耳の穴に対する挿入深さが最も浅くなる。
【００３８】
すなわち調整板３０をハンガ１７に対して回転調整することによって、ユーザはヘッドホンを装着したときの側頭部の皮膚面とハンガ１７との間の距離をｄ３〜ｄ４の距離の範囲内で無段階に可変調整可能になる。従って発汗によって上方からの水分が耳の穴の周辺に浸入したとしても、スピーカユニット２０と耳の皮膚面との間の距離を適切に確保することによって、スピーカユニット２０の部分への水の浸入を阻止し、また水分を介した側頭部の皮膚面とスピーカユニット２０のハウジングの密着を防止することができ、しかも音質劣化とならない距離を得るための微調整も可能になる。耳の位置や、耳穴の周囲の形状は、ユーザによってそれぞれ異なるために、ヘッドホンのスピーカユニット２０の形状を最適化することは困難であるが、本発明に係る調整板３０を取付けた構成によると、側頭部とスピーカユニット２０との相対的な位置を容易に得ることが可能になる。
【００３９】
このように本実施の形態のヘッドホンは、その性能をそのまま活用し、調整板３０のみを追加することによって、千差万別なユーザの耳の位置や形状の影響を受けることなく、スピーカユニット２０と耳との間の距離を無段階に調整可能にすることができる。とくに発汗を伴うスポーツの時における使用において、水分の浸入による悪影響を回避しつつ、スピーカユニット２０の最適な位置をユーザの好みで選択可能とし、ユーザに対して外傷を与える構造の心配もなく、スポーツ時に音楽を快適に楽しめるようになる。
【００４０】
次に別の実施の形態を図６によって説明する。この実施の形態は、ハンガ１７に対するスピーカユニット２０の取付けを変形したものであって、ハンガ１７の下端側の部分であって内側の部分に屈曲部３８を介してスピーカユニット２０を斜め上方向きに取付けるようにしたものである。先の実施の形態の場合には、ハンガ１７に沿って流れる汗が、スピーカユニット２０に流込み易いが、屈曲部３８を設けてスピーカユニット２０を斜め上方に向けて取付けた構成によると、汗はハンガ１７の下端側に至り、そこから落下するようになるために、スピーカユニット２０側には浸入しなくなって、発汗に対する対策がより良好に行なわれることになる。
【００４１】
次に別の実施の形態を図７〜図９によって説明する。この実施の形態は、上記調整板３０に代えて別の調整手段を用いたものである。この調整手段は、上下一対の筒状をなす摺動子４１、４２を備え、これらの摺動子４１、４２を屈曲部４３を介して連結するようにしたものである。ここで屈曲部４３の前面には、押圧部４４が設けられ、この押圧部４４によって側頭部４７に当接させるようにしている。なお摺動子４１、４２および屈曲部４３は、柔軟な合成樹脂あるいはシリコンゴム等によって一体に構成されている。
【００４２】
上記一対の摺動子４１、４２間の距離を大きく設定した場合には、図９Ａに示すように、屈曲部４３の屈曲量が小さくなり、このために押圧部４４の側頭部４７に対する突出量が少なくなる。従ってこの場合には、ハンガ１７と側頭部４７との間の距離を小さくすることができる。これに対して摺動子４１、４２間の距離を短くするように摺動子４１、４２の移動調整を行なうことによって、屈曲部４３がくの字状に屈曲し、その押圧部４４が側頭部４７に当接するために、側頭部４７とハンガ１７との間の距離を大きく設定できる。従ってこの場合には、スピーカユニット２０の耳の穴に対する挿入量が小さくなる。
【００４３】
従ってこのような構成によっても、上記摺動子４１、４２に連結された屈曲部４３の屈曲量を調整することによって、ハンガ１７の側頭部４７に対する距離を調整し、これによって耳の穴に対するスピーカユニット２０の挿入量を任意に調整することが可能になる。従ってこのような構成によっても、上記実施の形態とほぼ同様の作用効果を奏することが可能になる。
【００４４】
以上本願発明を図示の実施の形態によって説明したが、本願発明は上記実施の形態によって限定されることなく、本願発明の技術的思想の範囲内において各種の変更が可能である。例えば上記実施の形態における調整板３０や摺動子４１、４２と屈曲部４３とから成る調整手段の具体的な形状や寸法等については、使用するヘッドホンのとくにハンガ１７の部分の形状や寸法に応じて、各種の設計変更が可能である。
【産業上の利用可能性】
【００４５】
本願発明は、携帯用音響機器と組合せて用いられるヘッドホンに利用することが可能である。
【図面の簡単な説明】
【００４６】
【図１】ヘッドホンの全体の構成を示す外観斜視図である。
【図２】同ヘッドホンの正面図および側面図である。
【図３】調整板の平面図および断面図である。
【図４】調整板の取付けを示すヘッドホンのハンガの部分の要部斜視図である。
【図５】調整板によるスピーカユニットの耳に対する挿入深さの調整動作を示す斜視図である。
【図６】別の実施の形態のヘッドホンの正面図および側面図である。
【図７】さらに別の実施の形態のヘッドホンの正面図および側面図である。
【図８】同ヘッドホンに取付けられた調整機構の拡大斜視図である。
【図９】側頭部に対する距離の調整動作を示す正面図である。
【図１０】耳介に挿入する従来のヘッドホンの側面図である。
【図１１】同ヘッドホンを耳介に挿入した状態を示す背面図である。
【符号の説明】
【００４７】
１…ハウジング、２…ドライブユニット、３…振動板、４…プロテクタ、５…コード保持部、６…コード、１５…ヘッドバンド、１６…細条部、１７…ハンガ、１８…摺動溝、２０…スピーカユニット、２１…取出し部、２２…コード、２３…結束部材、２４…プラグ、２７…プロテクタ、２８…振動板、３０…調整板、３１…貫通孔、３２…切込み、３４…ギザギザの凹凸、３５…６角形の穴、３８…屈曲部、４１、４２…摺動子、４３…屈曲部、４４…押圧部、４７…側頭部
【図１】
2008148259.tif 000003
【図２】
2008148259.tif 000004
【図３】
2008148259.tif 000005
【図４】
2008148259.tif 000006
【図５】
2008148259.tif 000007
【図６】
2008148259.tif 000008
【図７】
2008148259.tif 000009
【図８】
2008148259.tif 000010
【図９】
2008148259.tif 000011
【図１０】
2008148259.tif 000012
【図１１】
2008148259.tif 000013